(57)【要約】【課題】折板屋根への直射日光や雨を確実に遮断することができ、しかも、簡単な構造かつ折板屋根に容易に取り付けることのできる屋根用遮断板の提供。【解決手段】屋根用遮断板３を平板状のアルミニウムとして、折板屋根２を構成するガルバリウム鋼板よりも熱放射率を高くする。折板屋根２の山部２ａのハゼ部９に屋根用遮断板３の側縁部３ａをカシメ固定する。屋根用遮断板３で折板屋根２を覆って、折板屋根２への直射日光や雨を遮断する。屋根用遮断板３を取り付けるための取付部材や、ねじ止め、孔加工が不要である。屋根用遮断板３が熱放射することにより、屋根用遮断板３からカシメ固定部を介して折板屋根２に伝導する熱を抑える。【選択図】  図１
2011047166.tif 000002
【特許請求の範囲】
【請求項１】
折板屋根を覆うように取り付けられて前記折板屋根への直射日光や雨を遮断するための金属製の屋根用遮断板であって、前記折板屋根に側縁部がカシメ固定され、前記折板屋根を構成する折板屋根材よりも熱放射率の高い素材から構成されたことを特徴とする屋根用遮断板。
【請求項２】
前記折板屋根材がガルバリウム鋼板とされ、平板状のアルミニウムから構成されたことを特徴とする請求項１に記載の屋根用遮断板。
【請求項３】
折板屋根の山部に設けられたハゼ部に請求項１又は２に記載の屋根用遮断板の側縁部がカシメ固定され、前記屋根用遮断板と折板屋根の谷部との間に山高さ分の空間が形成されたことを特徴とする屋根構造。
【発明の詳細な説明】
【技術分野】
【０００１】
本発明は、折板屋根を覆うように取り付けて、折板屋根への直射日光や雨を遮断するための金属製の屋根用遮断板に関するものである。
【背景技術】
【０００２】
一般に、家屋やビル、工場、倉庫などの種々の建築物のうち、特に、金属製の折板屋根を備えたものは、直射日光を受けた折板屋根が高温になることにより、その熱が室内に伝えられて室温が上昇しやすい。
【０００３】
このような折板屋根から伝わる熱による室温の上昇に対して、通風を良くして屋根裏の空間を換気したり、折板屋根を断熱構造にしたりすることにより、折板屋根から室内に伝わる熱を遮断して室内温度の上昇を防ぐことが多い。また、折板屋根に日光を反射して熱吸収を低減する効果のある耐熱塗料を塗装することにより、折板屋根の温度上昇自体を抑えることもある。
【０００４】
折板屋根の断熱構造としては、折板１０１の裏面に裏貼材１０２を貼り付けた一重折板構造（図１０参照）、あるいは、二重の折板１０３、１０４の間に断熱材１０５を充填したＷ折板構造（図１１参照）などが採用される。
【０００５】
ただ、屋根裏の空間を換気する手法は、建築物の構造が複雑になる分、建築コストが高くなりやすく、しかも、換気用ファンなどのメンテナンスが必要になる。また、折板屋根を一重折板の断熱構造にする手法は、比較的に構造が簡単であるものの、その断熱性能が不十分になりやすい。また、折板屋根をＷ折板の断熱構造にする手法は、その断熱性能を十分に高めることができるものの、屋根構造が複雑な分、建築コストが高くなりやすく、特に、既設の屋根をＷ折板構造に改修する場合、屋根全体を改築することになる分、施工費用が高騰しやすい。また、耐熱塗料を塗装する手法は、折板屋根の表面積がその平面積と比較して大きい分、塗装費用が高くなりやすく、しかも、塗装直後には所定の熱吸収の低減効果が見込まれるものの、屋根表面の汚れや塗装の劣化によって、十分な熱吸収の低減効果を発揮できなくなる。
【０００６】
これに対して、特許文献１は、折板屋根上に設置することにより、直射日光を遮断すると共に、折板の上の良好な空気の流れを保って、温度上昇を抑制するようにした折板屋根構造を開示している（図１２参照）。特許文献１の折板屋根構造は、折板１０６から上向きに突出する軸部１０７にロッド部材１０８を螺合し、その上端に設けた枠部材１０９でルーバーアッセンブリーパネル１１０を支持している。
【先行技術文献】
【特許文献】
【０００７】
【特許文献１】特開２００３−１４７９１８（段落番号００１０、００１５、図２）
【発明の概要】
【発明が解決しようとする課題】
【０００８】
ところが、特許文献１の折板屋根構造は、直射日光を遮断できるものの、ルーバー間の隙間から浸入した雨が金属製の折板屋根を腐食損傷させるおそれがあり、しかも、その構造が複雑で部品点数が多い分、折板屋根への取り付けに手間がかかると共に、製品及び設置コストが高くなりやすい。
【０００９】
本発明は、折板屋根への直射日光や雨を確実に遮断することができ、しかも、簡単な構造かつ折板屋根に容易に取り付けることのできる屋根用遮断板の提供を目的とする。
【課題を解決するための手段】
【００１０】
上記目的を達成するために、本発明に係る屋根用遮断板は、折板屋根を覆うように取り付けて、その折板屋根への直射日光や雨を遮断するための金属製の屋根用遮断板であり、折板屋根に側縁部をカシメ固定すると共に、折板屋根を構成する折板屋根材よりも熱放射率の高い素材から構成したものである。
【００１１】
上記構成によれば、屋根用遮断板が折板屋根への直射日光や雨を遮断するので、折板屋根が高温になって室温を上昇させるのを抑えると共に、雨による折板屋根の腐食損傷を防止することができる。
【００１２】
さらに、金属製の屋根用遮断板の側縁部を折板屋根にカシメ固定するので、折板屋根に取り付けるための取付部材や、ねじ止め、孔加工を不要にすることができ、屋根用遮断板の構造を簡単にすると共に、新設及び既設のいずれの折板屋根にも屋根用遮断板を容易に設置することができる。しかも、屋根用遮断板が熱放射することにより、直射日光を受けて過度の高温になるのを阻止するので、屋根用遮断板からカシメ固定部を介して折板屋根に伝導する熱を抑えることができ、折板屋根が高温になるのを防止することができる。
【００１３】
また、折板屋根材として、通常用いられるガルバリウム鋼板を採用する場合、屋根用遮断板を平板状のアルミニウムから構成するのがよい。この構成によれば、日射反射率及び熱放射率の高い平板状のアルミニウムを用いるので、直射日光を反射して屋根用遮断板が吸収する熱を抑えると共に、吸収した熱を十分に放射することができ、屋根用遮断板が過度の高温になるのを阻止して、折板屋根が高温になるのをより効果的に防止することができる。
【００１４】
また、折板屋根の山部に設けたハゼ部に上記の屋根用遮断板の側縁部をカシメ固定することにより、屋根用遮断板と折板屋根の谷部との間に山高さ分の空間を形成した屋根構造を提供する。
【００１５】
この構成によれば、折板屋根から突出するハゼ部を利用して、折板屋根に屋根用遮断板の側縁部をカシメ固定するので、折板屋根が新設及び既設のいずれの場合であっても、専用の取付部材を設けることなく、折板屋根に屋根用遮断板を設置することができる。しかも、屋根用遮断板と折板屋根の谷部との間に山高さ分の空間を形成するので、別部材のロッドなどを用いて屋根用遮断板を折板屋根から離間させて配置することなく、折板屋根の上の良好な空気の流れを保つことができ、折板屋根の温度上昇を抑制することができる。
【発明の効果】
【００１６】
以上のとおり、本発明によると、折板屋根に屋根用遮断板をカシメ固定するようにしているので、新設及び既設のいずれの建築物であっても、その折板屋根への直射日光や雨を簡単かつ確実に遮断することができる。さらに、屋根用遮断板をアルミニウムなどの熱放射率の高い素材から構成することにより、屋根用遮断板から折板屋根に伝導する熱を抑えて、折板屋根が高温になるのを防止することができる。
【００１７】
これにより、折板屋根が高温になって室温を上昇させるのを抑えることができ、低コストで効率的に室温を下げることができる分、空調電力消費を低減させて省エネルギーや地球温暖化防止に寄与することができる。しかも、雨による折板屋根の腐食損傷を防止することができるので、折板屋根の防錆用塗装の数年に一度のメンテナンスを省略することができ、例えば２回分の塗装メンテナンスの費用で、屋根用遮断板の設置に要する費用を賄うことができる。
【図面の簡単な説明】
【００１８】
【図１】本発明に係る屋根用遮断板を備えた屋根構造の断面図
【図２】屋根構造の投光試験を示す断面図
【図３】屋根構造の投光試験を示す平面図
【図４】投光試験による屋根構造の温度変化を示す図（試験体Ｎｏ．１：アルミニウム板の屋根用遮断板）
【図５】投光試験による屋根構造の温度変化を示す図（試験体Ｎｏ．２：ガルバリウム鋼板の屋根用遮断板）
【図６】投光試験による屋根用遮断板の温度変化を示す図（試験体Ｎｏ．３：ガルバリウム鋼板［シルバー］）
【図７】投光試験による屋根用遮断板の温度変化を示す図（試験体Ｎｏ．４：ガルバリウム鋼板［グレー］）
【図８】投光試験による屋根用遮断板の温度変化を示す図（試験体Ｎｏ．５：アルミニウム板［生地］）
【図９】投光試験による屋根用遮断板の温度変化を示す図（試験体Ｎｏ．６：アルミニウム板［陽極酸化皮膜６μｍ］）
【図１０】従来の屋根構造の断面図
【図１１】従来の別の屋根構造の断面図
【図１２】従来のさらに別の屋根構造の断面図
【発明を実施するための形態】
【００１９】
以下、本発明に係る屋根用遮断板を実施するための形態について、図面を用いて説明する。
【００２０】
図１に示すように、屋根構造１は、倉庫などの屋根として用いられることの多い折板屋根２に、この折板屋根２を覆って直射日光や雨を遮断するための屋根用遮断板３を取り付けたものであり、折板屋根２の山部２ａに屋根用遮断板３の側縁部３ａがカシメ固定され、屋根用遮断板３と折板屋根２の谷部２ｂとの間に山高さ分の空間４が形成されている。
【００２１】
折板屋根２は、例えばガルバリウム鋼板を逆台形状に折り曲げて形成した複数枚の折板屋根材５を並べてなり、各折板屋根材５が、屋根構造１を支持するよう所定の間隔で並設された鉄骨梁６に架け渡される。鉄骨梁６の上面には、複数の台形が連続した形状に折り曲げられた帯板状のタイトフレーム７が溶接固定され、このタイトフレーム７の谷形状に嵌めるように逆台形状の折板屋根材５が配置される。
【００２２】
タイトフレーム７の山部には、折板屋根材５の側縁部５ａを固定するための吊子８が上方に突出するようボルト締結されている。吊子８は、その先端がフック状に形成され、折板屋根材５の側縁部５ａを折り曲げてカシメ固定するようになっており、隣接する折板屋根材５の側縁部５ａを共通の吊子８にカシメ固定して噛み合わせることにより、ハゼ部９を構成している。吊子８のボルト締結部１０は、折板屋根材５との干渉を回避するよう、タイトフレーム７の山部に形成された凹部１１に設定される。
【００２３】
屋根用遮断板３は、折板屋根材５を構成するガルバリウム鋼板などよりも熱放射率の高い例えばアルミニウム製の平板とされ、折板屋根２の谷部２ａを跨ぐ程度の板幅に設定されている。この屋根用遮断板３は、側縁部３ａを折り曲げることによってハゼ部９にカシメ固定され、隣接する屋根用遮断板３の側縁部３ａを重ねるよう共通のハゼ部９にカシメ固定することにより、折板屋根２が屋根用遮断板３で隙間なく覆われている。
【００２４】
次に、屋根構造に対して行った投光試験について説明する。まず、投光試験の試験手順について説明する。
【００２５】
図２及び図３に示すように、折板屋根２及び屋根用遮断板３で構成される試験体１２（ＮＯ．１〜ＮＯ．６）を屋内に設置し、その周囲及び下方を木製の囲い１３で囲うと共に上方を防炎シート１４で覆って、室内の対流風が試験体１２に直接当たるのを阻止した。また、試験体１２の下方には、段ボール１５を敷くと共に、これを防炎シート１６で覆って断熱した。なお、図３においては、折板屋根２の折板形状を示すよう屋根用遮断板３を除いて図示している。
【００２６】
試験体ＮＯ．１〜ＮＯ．６は、いずれも長さが１．７ｍ程度で幅が１ｍ程度の大きさに設定され、その折板屋根２がクロムフリー表面処理のガルバリウム鋼板（厚さ：０．８ｍｍ）で構成されている。
【００２７】
各試験体ＮＯ．１〜ＮＯ．６の屋根用遮断板３は、試験体ＮＯ．１が生地のままのアルミニウム板（厚さ：０．８ｍｍ）、試験体ＮＯ．２がシルバー色のポリエステル樹脂仕上塗装のガルバリウム鋼板（厚さ：０．８ｍｍ）、試験体ＮＯ．３がシルバー色のポリエステル樹脂仕上塗装のガルバリウム鋼板（厚さ：０．８ｍｍ）、試験体ＮＯ．４がグレー色のポリエステル樹脂仕上塗装のガルバリウム鋼板（厚さ：０．８ｍｍ）、試験体ＮＯ．５が生地のままのアルミニウム板（厚さ：０．８ｍｍ）、試験体ＮＯ．６が６μｍの陽極酸化皮膜を形成したアルミニウム板（厚さ：０．８ｍｍ）である。
【００２８】
試験体ＮＯ．１、ＮＯ．２について、試験体１２の上方を覆う防炎シート１４の下側に各３００Ｗの８つの投光機１７を設置し、試験体１２に上方から投光して、折板屋根２及び屋根用遮断板３のそれぞれの中央に設定した温度測定点１８、１９の温度を５分間隔で測定した。また、試験体ＮＯ．３〜ＮＯ．６について、試験体ＮＯ．１、ＮＯ．２と同様の手順で、屋根用遮断板３の温度測定点１９の温度のみを測定した。
【００２９】
次に、投光試験の試験結果について説明する。図４に示すように、試験体ＮＯ．１では、屋根用遮断板３及び折板屋根２が各々の最高温度と同程度の温度で平衡状態に達し、その最高温度は、屋根用遮断板３が６１．６℃であったが、折板屋根２の最高温度は１８．３℃に抑えられている。一方、図５に示すように、試験体ＮＯ．２では、屋根用遮断板３及び折板屋根２の温度が共に平衡状態まで達することなく、屋根用遮断板３の最高温度が９３．４℃まで上昇し、折板屋根２の最高温度も４４．０℃まで上昇している。
【００３０】
また、図６及び図７に示すように、屋根用遮断板３がガルバリウム鋼板である試験体ＮＯ．３、ＮＯ．４では、その屋根用遮断板３の最高温度が１１０℃程度まで上昇し、図８及び図９に示すように、屋根用遮断板３がアルミニウム板である試験体ＮＯ．５、ＮＯ．６では、その屋根用遮断板３の最高温度が６０℃程度に抑えられた。
【００３１】
これにより、屋根用遮断板３を設置することによって折板屋根２の温度上昇を抑えることができ、特に、屋根用遮断板３として、熱放射率の高いアルミニウム板を用いることにより、折板屋根２の温度上昇をより低く抑えることができるということがわかる。
【００３２】
上記構成によれば、特にアルミニウム製の屋根用遮断板３をハゼ部９にカシメ固定して折板屋根２に直接に取り付けるので、折板屋根２が新設及び既設のいずれであっても、屋根用遮断板３を簡単かつ低コストで設置することができる。
【００３３】
これにより、日射反射率及び熱放射率の高いアルミニウム製の屋根用遮断板３で折板屋根２への直射日光を遮断して、ランニングコストを要することなく、室温の上昇を効率的に防止することができる。しかも、屋根用遮断板３が雨を遮断して折板屋根２の腐食損傷を防止するので、折板屋根２の防錆用塗装のメンテナンスを省略することができ、例えば２回の塗装費用で屋根用遮断板３の設置費用を賄うことができる。
【００３４】
また、折板屋根２の山部２ａに屋根用遮断板３を固定して、屋根用遮断板３と折板屋根２の谷部２ｂとの間に山高さ分の空間４を形成するので、この空間４が熱の伝達を抑えると共に、自然発生する気流によって空間４の内部を空気が流れることにより、温度上昇を抑制することができる。
【００３５】
なお、本発明は、上記の実施の形態に限定されるものではなく、本発明の範囲内において、適宜変更を加えることができる。例えば、屋根用遮断板は、アルミニウム製に限らず、カシメ固定のできるものであれば、あらゆる素材のものを用いることができる。また、折板屋根は、ガルバリウム鋼板で形成したものに限らず、いかなる素材のものであってもよい。
【符号の説明】
【００３６】
１    屋根構造
２    折板屋根
２ａ  山部
２ｂ  谷部
３    屋根用遮断板
３ａ  側縁部
４    空間
５    折板屋根材
５ａ  側縁部
６    鉄骨梁
７    タイトフレーム
８    吊子
９    ハゼ部
１０  ボルト締結部
１１  凹部
１２  試験体
１３  囲い
１４、１６  防炎シート
１５  段ボール
１７  投光機
１８、１９  温度測定点
【図１】
2011047166.tif 000003
【図２】
2011047166.tif 000004
【図３】
2011047166.tif 000005
【図４】
2011047166.tif 000006
【図５】
2011047166.tif 000007
【図６】
2011047166.tif 000008
【図７】
2011047166.tif 000009
【図８】
2011047166.tif 000010
【図９】
2011047166.tif 000011
【図１０】
2011047166.tif 000012
【図１１】
2011047166.tif 000013
【図１２】
2011047166.tif 000014